(57)【特許請求の範囲】
【請求項１】
容器本体（２）に、容器本体（２）内の内容物を外部に噴射する噴射ステム（１０）が突設されると共に、噴射ステム（１０）の周囲を取り囲むカバー体（３）と、噴射ステム（１０）を押圧操作するノズルボタン（４）とが設けられ、前記カバー体（３）は、噴射ステム（１０）を取り囲む筒状部（１１）と、筒状部（１１）の下端部から下方突出した環状の嵌着部（１４）と、筒状部（１１）の上端から内方突出した天壁部（１５）とを有し、カバー体（３）の嵌着部（１４）が容器本体（２）側に嵌着された容器において、
前記カバー体（３）の天壁部（１５）に、ノズルボタン（４）が挿通される開口窓（１６）が設けられ、ノズルボタン（４）が開口窓（１６）から上方に抜脱しないように、ノズルボタン（４）の下端部外周に、ノズルボタン（１０）の開口窓（１６）の開口縁部に下側から係合する係合部（２３）が外方突出状に設けられ、カバー体（３）の嵌着部（１４）の一部に、嵌着部（１４）の容器本体（２）側への嵌着を外すための嵌着解除部（２８）が設けられ、カバー体（３）の嵌着解除部（２８）側に、天壁部（１５）下面から筒状部（１１）内面に跨るリブ（３２）が設けられ、ノズルボタン（４）を、前記嵌着解除部（２８）とは反対側にたおす方向に操作することにより、前記係合部（２３）の嵌着解除部（２８）側の一部が、前記リブ（３２）を介して前記開口窓（１６）の開口縁部に下側から係合してカバー体（３）の天壁部（１５）の嵌着解除部（２８）側を上方に引っ張って嵌着部（１３）の容器本体（２）側への嵌着が嵌着解除部（２８）から外れるように構成されていることを特徴とする容器。
【請求項２】
ノズルボタン（４）を嵌着解除部（２５）とは反対側にたおす方向に操作することを促す表示（２９）が、カバー体（３）の外面であってノズルボタン（４）と嵌着解除部（２８）間に設けられていることを特徴とする請求項１に記載の容器。
【請求項３】
前記係合部（２３）は、ノズルボタン（４）外周から環状に外方突出した鍔体（２２）により構成されていることを特徴とする請求項１又は２に記載の容器。
【請求項４】
前記係合部（２３）は、ノズルボタン（４）の周方向に間隔おいて設けられたリブ（３３）により構成されていることを特徴とする請求項１又は２に記載の容器。
【請求項５】
前記嵌着解除部（２８）がカバー体（３）の嵌着部（１４）にスリット（２７）を設けることにより構成されていることを特徴とする請求項１〜４のいずれかに記載の容器。
【発明の詳細な説明】
【０００１】
【発明の属する技術分野】
本発明は、容器本体にカバー体が装着された液化ガス、ヘアスプレー、殺虫剤スプレー等の容器に関する。
【０００２】
【従来の技術】
例えば、液化ガス、ヘアスプレー、殺虫剤スプレー等のエアゾール容器には、容器本体の上端部に、肩部を介して口部が設けられ、口部に該口部の開口を塞ぐようにマウンテンキャップが嵌着され、このマウンテンキャップの中央部に、容器本体内の内容液を外部に噴射する噴射ステムが上方突設されものがあり、この種の容器では、容器本体の上端部に、容器本体の肩部及びマウンテンキャップの外周部を覆うようにカバー体が嵌合装着されると共に、前記噴射ステムに、ノズルを有するノズルボタンが外嵌され、ノズルボタンの押圧部を下方に押圧操作することにより、噴射ステムから噴射された内溶液がノズルボタンのノズルを通して外部に噴出させるように構成されものがある。
【０００３】
【発明が解決しようとする課題】
しかし、容器本体はアルミ、スチール、硝子等で構成され、カバー体、ノズルボタンはポリプロピレン、ポリエチレン等の合成樹脂により構成されており、容器本体とカバー体とは材質が異なっているため、容器を使用し終わって該容器を廃棄する場合や再利用する場合には、容器本体からカバー体を分離する必要があるが、カバー体は容器本体に対して不測に外れることがないように強固に外嵌装着されているため、容器本体からカバー体を分離するためには、ペンチ等の工具を使用する必要があり、カバー体と容器本体を分離するための作業が非常に面倒であった。
【０００４】
そこで、容器本体とカバー体との間にコイン溝を設けておき、カバー体と容器本体を分離する際にこのコイン溝にコインを挿入して、コインでカバー体をこじることによってカバー体と容器本体を分離するするようにしたものがある（例えば特開平１０−３５７５０）が、この場合も、分離する際にコイン等の特別の用具が必要であり、やはりカバー体と容器本体を分離するための作業が面倒であった。
また、カバー体に分離操作するための把手を設け、この把手を操作することによってカバー体と容器本体を分離するようにしたものもある（例えば特開平９−２２１１８１）が、この場合、カバー体に分離操作するための特別操作具として把手を設ける必要があり、このためカバー体がそれだけ複雑になり、カバー体の製造が面倒で製造費も高く付いた。また、この場合把手を使って分離操作するために比較的大きな力を要し、この点から分離するための作業が面倒でもあった。
【０００５】
本発明は、上記問題点に鑑み、ペンチ等の工具やコイン等の用具を使用することなく、しかもカバー体に分離操作するたの特別の操作具を設けることなく、カバー体と容器本体とを比較的弱い力で簡単に分離することができるようにしたものである。
【０００６】
【課題を解決するための手段】
本発明では、上記目的を達成するため、次の技術的手段を講じた。
即ち、本発明の容器１は、容器本体２に、容器本体２内の内容物を外部に噴射する噴射ステム１０が突設されると共に、噴射ステム１０の周囲を取り囲むカバー体３と、噴射ステム１０を押圧操作するノズルボタン４とが設けられ、前記カバー体３は、噴射ステム１０を取り囲む筒状部１１と、筒状部１１の下端部から下方突出した環状の嵌着部１４と、筒状部１１の上端から内方突出した天壁部１５とを有し、カバー体３の嵌着部１４が容器本体２側に嵌着された容器において、
前記カバー体３の天壁部１５に、ノズルボタン４が挿通される開口窓１６が設けられ、ノズルボタン４が開口窓１６から上方に抜脱しないように、ノズルボタン４の下端部外周に、ノズルボタン１０の開口窓１６の開口縁部に下側から係合する係合部２３が外方突出状に設けられ、カバー体３の嵌着部１４の一部に、嵌着部１４の容器本体２側への嵌着を外すための嵌着解除部２８が設けられ、カバー体３の嵌着解除部２８側に、天壁部１５下面から筒状部１１内面に跨るリブ３２が設けられ、ノズルボタン４を、前記嵌着解除部２８とは反対側にたおす方向に操作することにより、前記係合部２３の嵌着解除部２８側の一部が、前記リブ３２を介して前記開口窓１６の開口縁部に下側から係合してカバー体３の天壁部１５の嵌着解除部２８側を上方に引っ張って嵌着部１３の容器本体２側への嵌着が嵌着解除部２８から外れるように構成されている点にある。
【０００７】
従って、容器１を使用し終わって容器本体２からカバー体３を分離させる場合、ノズルボタン４をたおす方向に操作すれば、ノズルボタン４の係合部２３とカバー体３の開口窓１６の開口縁部２６側とが係合し、この係合によりカバー体３が容器本体２から外れる方向に引っ張られ、その結果、容器本体２とカバー体３との嵌着を嵌着部１４の嵌着解除部２８から外すことが可能になる。その結果、ペンチ等の工具やコイン等の用具を使用することなく、しかもカバー体３に分離操作するたの特別の操作具を設けることなく、容器本体２に対してカバー体３を分離させることができる。
【０００８】
また、ノズルボタン４を嵌着解除部２５とは反対側にたおす方向に操作することを促す表示２９が、カバー体３の外面であってノズルボタン４と嵌着解除部２８間に設けられている点にある。
従って、容器本体２からカバー体３を分離させる場合、表示２９を設けているため、ひとめみて容器本体２からカバー体３を分離できる方向、即ち、ノズルボタンを操作する方向がわかり、表示２９に従ってノズルボタン４を特定の方向に操作するようにすれば、ノズルボタン４の係合部２３とカバー体３の開口窓１６の開口縁部２６側とが係合し、この係合によりカバー体３が容器本体２から外れる方向に引っ張られる。その結果、容器本体２とカバー体３との嵌着が嵌着部１４の嵌着解除部２８から簡単に外れ、容器本体２からカバー体３を簡単に分離できる。なお、その表示２９に示されている以外の方向にノズルボタン４を操作等をしても、嵌着部１４が強固に容器本体２側に嵌着されているため、カバー体３が容器本体２から外れたりしない。
【０００９】
また、開口縁部２６をリブ３２により補強しており、また、このリブ３２を介して係合部２３と開口縁部２６との係合を行うことにより、カバー体３が容器本体２から外れる方向に、カバー体３を確実にかつしっかり持ち上げることができ、容器本体２とカバー体３との分離を確実なものとすることができる。
また、前記係合部２３は、例えば、ノズルボタン４外周から環状に外方突出した鍔体２２により構成させることや、ノズルボタン４の周方向に間隔おいて設けられたリブ３３により構成させることや、ノズルボタン４の外周から外方突出した段部３４等により構成させることができる。また、前記係合部２３をノズルボタン４の外周から上側に向けて徐々に小径となるようなテーパ部３５とし、前記開口窓１６の開口縁部２６に、前記テーパ部３５に当接または近接するようなテーパ状になったリブ３２により構成させることもできる。
【００１０】
また、前記係合部２３と開口縁部２６側との係合は、少なくとも特定の方向で行われるようにするとよい。
これは、ノズルボタン４を前記特定の方向に押圧する力が、カバー体３が容器本体２から外れる方向に引っ張られる力となるため、係合部２３と開口縁部２６側との係合が前記特定の方向で行われると、力のロスがなく弱い押圧力で確実にノズルボタン４がカバー体３を容器本体２から外れる方向に持ち上げることができる。また、ノズルボタン４の操作する側の反対に位置する係合部２３が容器本体２の嵌着部の上面に当たるようにすると、てこの原理を利用して、ノズルボタン４の操作する側に位置する係合部２３を持ち上げることができ、より弱い力でカバー体３を容器本体２から分離することができる。
【００１１】
また、前記嵌着解除部２８がカバー体３の嵌着部１４にスリット２７を設けることにより構成とすることができる。
【００１２】
【発明の実施の形態】
以下、図面に基づいて本発明の実施形態を説明する。
図１〜図７においては、本発明の第一実施形態を示しており、本発明に係る容器１は、容器本体２と、カバー体３と、ノズルボタン４とから構成されている。
容器本体２は、液化ガス、ヘアスプレー、殺虫剤スプレー等のエアゾール容器であって、アルミ、スチール、硝子等により形成されている。容器本体２は、図７に示すように、円筒状に形成され、その上端部には上側に向けて徐々に小径となるように先窄まり状に傾斜した肩部５を介して小径の口部６が形成されている。口部６に該口部６の開口を塞ぐようにマウンテンキャップ７が嵌合固着されている。マウンテンキャップ７はその外周部に口部６に卷回された環状の卷回凸部８を有し、マウンテンキャップ７の中央部には凸部９を介して噴射ステム１０が上方突設されている。噴射ステム１０は下方に押圧操作されることにより、殺虫剤等の内容物を上方に向けて噴射するようになっている。
【００１３】
なお、マウンテンキャップ７は容器本体２と同様にアルミ、スチール、硝子等により形成されている。
カバー体３は、ポリプロピレン、ポリエチレン等の合成樹脂により円筒状に形成され、容器本体２の上端部に外嵌固着されている。カバー体３は、噴射ステム１０の周囲を取り囲むように容器本体２の肩部５及びマウンテンキャップ７の外周部を覆っている。カバー体３は円筒状の筒状部１１と、筒状部１１の下端部から段部１２を介して径方向外方に広がるように下方突出したスカート部１３と、筒状部１１の下端部から段部１２を介して下方突出した環状の嵌着部１４と、筒状部１１の上端から内方突出した天壁部１５と、天壁部１５からノズルボタン４が上下移動自在に挿通できるように円形状に開口した開口窓１６とを有している。
【００１４】
カバー体３の嵌着部１４はマウンテンキャップ７の卷回凸部８に外嵌され、その下端部には内方向きに係止突起１７が設けられ、この係止突起１７がマウンテンキャップ７の卷回凸部８の下端縁に下側から係合されて、嵌着部１４をマウンテンキャップ７に対して抜脱不能にし、これによりカバー体３は容器本体２の上端部に不測に外れないように強固に嵌合固着されている。スカート部１３は嵌着部１４の外周を取り囲み、スカート部１３の下端は、容器本体２の肩部５の基端に当接又は近接されている。
【００１５】
ノズルボタン４は、ポリプロピレン、ポリエチレン等の合成樹脂により有底円筒状に形成され、内容物を噴射させるノズル１８と、ノズル１８から連通孔１９を介して噴射ステム１０に外嵌固着される嵌合部２０と、嵌合部２０の外周を取り囲む筒状の外周壁２１と、外周壁２１下端部にカバー体３の開口窓１６から抜脱しないように環状に外方突出した鍔体２２から構成される係合部２３とを有している。
嵌合部２０に、噴射ステム１０を外嵌する部分が上側に向かって小径となるようなテーパ部２４が設けられている。
【００１６】
ノズル１８は連通孔１９及び嵌合部２０を介して噴射ステム１０に連通されている。また，ノズルボタン４の上面が押圧部２５とされており、押圧部２５を下方に押圧操作することによって、噴射した容器本体２の内容物を噴射ステム１０を通してノズル１８から外部に噴射するようになっている。
図６に示すように、ノズルボタン４を特定の方向（図に示す矢印Ａ方向）に押圧操作すると、カバー体３の開口窓１６の開口縁部２６とノズルボタン４を操作する側に位置する係合部２３とが係合し、更にノズルボタン４を押圧操作すると、前記係合によりカバー体３が容器本体２側から外れる方向に引っ張られるように持ち上げられ、カバー体３とノズルボタン４とが互いに連係された状態となる。この際、ノズルボタン４を操作する側の反対側に位置する係合部２３が卷回凸部８の上面に当たり、てこの原理を利用して、ノズルボタン４を操作する側に位置する係合部２３を持ち上げるようにしており、弱い力でカバー体３が容器本体２側から外れる方向に引っ張られるようになっている。
【００１７】
前記嵌着部１４の、ノズルボタン４を操作する側に位置する部分に、上下方向のスリット２７が間隔をおいて３個形成され、これらスリット２７により、嵌着部１４の一部、即ち、嵌着部１４の、ノズルボタン４を操作する側の位置する部分に、ノズルボタン４を、特定の方向（ノズルボタン４をたおす方向である図６に示す矢印Ａ方向）に押圧操作することにより、マウンテンキャップ７の卷回凸部８から容易に外れる嵌着解除部２８が形成されている。
なお、前記スリット２７は３個に限定されるものでなく、１個でもよいし、２個でもよいし、４個以上であってもよい。
【００１８】
また、カバー体３の天壁部１５上面に、例えば、矢印等のマークを施すことによって、ノズルボタン４を前記特定の方向（矢印Ａ方向）に操作するための表示２９が設けられている。
なお、図２に二点鎖線で示すように、カバー体３の筒状部１１にオーバーキャップ３０を着脱自在に外嵌するように設けてもよい。
上記実施の形態によれば、容器１を使用し終わって容器本体２からカバー体３を分離する場合、表示２９に従ってノズルボタン４を、特定の方向（矢印Ａ方向）に押圧操作すれば、図６に示すように、嵌着部２０下端に設けられたテーパ部２４が噴射ステム１０の上端部に沿うようにたおされ、ノズルボタン４が噴射ステム１０付近を中心に矢印Ｂ方向に回動して、ノズルボタン４の操作する側に位置する係合部２３とカバー体３の開口窓１６の開口縁部２６とが係合すると共に、ノズルボタン４の操作する側の反対に位置する係合部２３が卷回凸部８の上面に当たるようになる。更にノズルボタン４を前記特定方向に押圧操作すると、てこの原理を利用してノズルボタン４の操作する側に位置する係合部２３を持ち上げ、前記係合によりノズルボタン４がカバー体３を矢印Ｃ方向に持ち上げる。その結果、嵌着部１４の嵌着解除部２８が外側に広がるように弾性変形して、嵌着解除部２８部分の係止突起１７がマウンテンキャップ７下端縁からたやすく外れて、嵌着部１４の容器本体２側への嵌着が嵌着解除部２８側（マウンテンキャップ７）から容易に外れる。その結果、ペンチ等の工具やコイン等の用具を使用することなく、しかもカバー体３に分離操作するたの特別の操作具を設けることなく、容器本体２対してカバー体３を容易に分離させることができる。
【００１９】
図８及び図９は、本発明の第二の実施形態を示すものであり、ノズルボタン４を操作する側に位置する部分に、カバー体３の天壁部１５から嵌着部１４上端部に跨がるように内方に突出したリブ３１が設けられている。このリブ３１は、ノズルボタン４がカバー体３を矢印Ｃ方向（図６参照）に引っ張るのを安定させて、嵌着解除部２８が外側に広がるように弾性変形して嵌着解除部２８が容器本体２側（マウンテンキャップ７）から外れるのを助けるようになっている。
その他の点は前記第一の実施形態と同様な構成である。
【００２０】
図１０及び図１１は、本発明の第三の実施形態を示すものであり、カバー体３の開口窓１６の開口縁部２６に、開口窓１６の周方向にある一定間隔をおいてリブ３２が設けられている。このリブ３２は開口窓１６の開口縁部２６を補強するものであって、このリブ３２を介して係合部２３と開口縁部２６との係合が行われる。
従って、リブ３２を介して係合部２３と開口縁部２６とが係合することにより、係合を強固なものとでき、ノズルボタン４がカバー体３を嵌着解除部２８から嵌着が解除される方向に確実に持ち上げることができ、確実にカバー体３と容器本体２とを分離できる。
【００２１】
なお、リブ３２をノズルボタン４を押圧操作する特定方向にすくなくとも設けるようにするとよい。これは、ノズルボタン４を前記特定の方向に押圧操作する力がカバー体３を持ち上げる力となるため、係合部２３とリブ３２を介して開口縁部２６との係合が嵌着解除部２８から嵌着が解除される位置付近で行われると、力のロスがなく弱い押圧力でノズルボタン４がカバー体３を嵌着解除部２８から嵌着が解除される方向に持ち上げることができ、確実にカバー体３と容器本体２とを分離できる。
【００２２】
その他の点は前記第一の実施形態と同様な構成である。
図１２及び図１３は、本発明の第四の実施形態を示すものであり、前記係合部２３が、ノズルボタン４の外周壁２１下端部に、周方向にある一定間隔おいて外方突出したリブ３３により構成されている。
従って、リブ３３からなる係合部２３と開口縁部２６とが係合することにより、ノズルボタン４がカバー体３を嵌着解除部２８から嵌着が解除される方向に持ち上げることができ、カバー体３と容器本体２との分離を確実なものとできる。
【００２３】
なお、カバー体３と容器本体２とを分離させるために、このリブ３３からなる係合部２３をノズルボタン４を押圧操作する特定方向側に設けるようにするとよい。
これは、ノズルボタン４を前記特定の方向に押圧する力がカバー体３を持ち上げる力となるため、リブ３３からなる係合部２３と開口縁部２６との係合が嵌着解除部２８から嵌着が解除される位置付近で行われると、力のロスがなく弱い押圧力でノズルボタン４がカバー体３を嵌着解除部２８から嵌着が解除される方向に持ち上げられ、カバー体３と容器本体２との分離を確実にできる。
【００２４】
ここで、リブ３３からなる係合部２３が前記特定方向に向いて設けられているようにするためには、ノズルボタン４等にマークを施し、そのマークを合わせることによりリブ３３からなる係合部２３が前記特定方向に向いて設けられた状態になる。また、リブ３３からなる係合部２３が前記特定方向に設けられていると共に、ノズルボタン４とカバー体３とが相対回動しない状態にすればよい。カバー体３４とノズルボタン４とが相対回動不能とするには、カバー体３とノズルボタン４とに相対回動をさせない回動規制片等を設けるようにしてもよいし、開口窓１６とノズルボタン４とを円形状ではなく、多角形状にするようにしてもよい。
【００２５】
その他の点は前記第一の実施形態と同様な構成である。
図１４は、本発明の第五の実施形態を示すものであり、前記係合部２３が、ノズルボタン４の外周壁２１下端部に段部３４により構成されている。
従って、段部３４からなる係合部２３と開口縁部２６とが係合することにより、ノズルボタン４がカバー体３を嵌着解除部２８から嵌着が解除される方向に持ち上げることができ、カバー体３と容器本体２とを分離を確実にできる。
なお、段部３４からなる係合部２３も第四実施形態と同様に、ノズルボタン４の周方向にある一定間隔おいて設けるようにしてもよい。
【００２６】
その他の点は前記第一の実施形態と同様な構成である。
図１５は、本発明の第六の実施形態を示すものであり、前記係合部２３が、ノズルボタン４の外周壁２１下端部に、上側に向かって徐々に小径となるテーパ部３５とし、前記開口窓１６の開口縁部２６に、前記テーパ部３５に当接または近接するテーパ状になったリブ３２により構成させている。
従って、テーパ部３５からなる係合部２３とテーパ状のリブ３２を介して開口縁部２６とが係合することにより、確実にノズルボタン４がカバー体３を嵌着解除部２８から嵌着が解除される方向に持ち上げることができ、カバー体３と容器本体２とを分離をより確実にできる。
【００２７】
なお、テーパ部３５からなる係合部２３も第四実施形態と同様に、ノズルボタン４の周方向にある一定間隔おいて設けるよにしてもよい。
その他の点は前記第一の実施形態と同様な構成である。
図１６及び図１７は、本発明の第七の実施形態を示すものであり、カバー体３の天壁部１５の内周縁部に、環状の嵌着部１４が下方突設され、この嵌着部１４がマウントキャップ７の卷回凸部８に内嵌されるようになっている。嵌着部１４の下端部には外方向きに係止突起１７が設けられ、この係止突起１７がマウントキャップ７の卷回凸部８の内側下端縁に下側から係合されて、嵌着部１４をマウントキャップ７に対して抜脱不能にし、これによりカバー体３は容器本体２の上端部に不測に外れないように強固に固着されている。
【００２８】
スカート部１３は嵌着部１４及びマウンテンキャップ７の卷回凸部８の外周を取り囲み、スカート部１３の下端は、容器本体２の肩部５の中途部に当接又は近接されている。
その他の点は前記第一の実施形態と同様な構成である。
図１８は、本発明の第八の実施形態を示すものであり、カバー体３は、円筒状の筒状部１１と、筒状部１１の上端から内方突出した天壁部１５と、天壁部１５からノズルボタン４が上下移動自在に挿通できるように円形状に開口した開口窓１６と、筒状部１１の下端から図２に示すオーバーキャップ３０が嵌合できる凹部３６と、凹部３６から段部形状のスカート部１３とを有している。
【００２９】
スカート部１３の下端は、容器本体２の肩部５の基端に当接又は近接されている。
筒状部１１の下端が嵌着部１４とされ、嵌着部１４とされた筒状部１１下端内側には内方向きに係止突起１７が設けられ、この係止突起１７がマウントキャップ７の卷回凸部８の下端縁に下側から係合されて、嵌着部１４をマウンテンキャップ７に対して抜脱不能にし、これによりカバー体３は容器本体２の上端部に不測に外れないように強固に嵌合固着されている。
【００３０】
嵌着部１４の、カバー体３を外すためノズルボタン４の操作する側に位置するする部分に、上下方向のスリット２７が１個形成され、このスリット２７によりノズルボタン４を特定方向に押圧操作すると、弾性変形してマウントキャップ７の卷回凸部８から容易に外れるようになっている。このスリット２７が嵌着解除部２８とされている。
その他の点は前記第一の実施形態と同様な構成である。
なお、上記実施形態では、カバー体３と容器本体２とを分離させる場合、ノズルボタン４をたおす方向の一部である特定方向にのみ操作することによって、嵌着部１４の容器本体２側への嵌着が外れるようにしているが、ノズルボタン４をたおす方向に操作することにより、嵌着部１４の容器本体２側への嵌着を外すことができるように構成されていればよく、嵌着部１４の容器本体２側への嵌着を外すために、ノズルボタン４を操作する方向は複数であってもよく、ノズルボタン４を操作する方向は任意に設定できる。
【００３１】
本発明は上記実施形態に限定されるもことなく、適宜設計変更可能である。
例えば、本発明では、カバー体３の天壁部１５上面に表示２９を設けているが、ノズルボタン４を相対回動不能とさせ、ノズルボタン４の上面に表示２９を設けるようにしてもよい。
また、嵌着解除部２８が、カバー体３の嵌着部１４にスリット２７を設けることにより構成れているが、これに変え、嵌着部１４の一部を肉薄に形成することにより、弾性変形して容器本体２側（マウントキャップ７）から容易に外れる嵌着解除部２８を構成するようにしてもよい。
【００３２】
【発明の効果】
本発明によれば、容器１を使用し終わって容器本体２からカバー体３を分離させる場合、ノズルボタン４をたおす方向に操作すれば、ノズルボタン４の係合部２３とカバー体３の開口窓１６の開口縁部２６側とが係合し、この係合によりカバー体３が容器本体２から外れる方向に引っ張られ、その結果、容器本体２とカバー体３との嵌着を嵌着部１４の嵌着解除部２８から簡単に外すことが可能になる。その結果、ペンチ等の工具やコイン等の用具を使用することなく、しかもカバー体３に分離操作するたの特別の操作具を設けることなく、比較的弱い力で容器本体２に対してカバー体３を容易に分離させることができる。
【図面の簡単な説明】
【図１】  本発明の第一実施形態を示す容器の平面図である。
【図２】  同側面断面図である。
【図３】  同カバー体の側面断面図である。
【図４】  同カバー体の底面図である。
【図５】  同ノズルボタンを操作した状態の容器の平面図である。
【図６】  同ノズルボタンを操作した状態の容器の側面断面図である。
【図７】  同容器本体の側面断面図である。
【図８】  本発明の第二実施形態を示すカバー体の側面断面図である。
【図９】  同カバー体の底面図である。
【図１０】  本発明の第三実施形態を示す容器の側面断面図である。
【図１１】  同カバー体の底面図である。
【図１２】  本発明の第四実施形態を示す容器の側面断面図である。
【図１３】  同ノズルボタンの平面図である。
【図１４】  本発明の第五実施形態を示す容器の側面断面図である。
【図１５】  本発明の第六実施形態を示す容器の側面断面図である。
【図１６】  本発明の第七実施形態を示す容器の平面図である。
【図１７】  同側面断面図である。
【図１８】  本発明の第八実施形態を示す容器の側面断面図である。
【符号の説明】
１      容器
２      容器本体
３      カバー体
４      ノズルボタン
１０    噴射ステム
１１    筒状部
１４    嵌着部
１５    天壁部
１６    開口窓
２２    鍔体
２３    係合部
２６    開口縁部
２７    スリット
２８    嵌着解除部
２９    表示
３２    リブ
３３    リブ
【図１】
0003929004.tif 000002
【図２】
0003929004.tif 000003
【図３】
0003929004.tif 000004
【図４】
0003929004.tif 000005
【図５】
0003929004.tif 000006
【図６】
0003929004.tif 000007
【図７】
0003929004.tif 000008
【図８】
0003929004.tif 000009
【図９】
0003929004.tif 000010
【図１０】
0003929004.tif 000011
【図１１】
0003929004.tif 000012
【図１２】
0003929004.tif 000013
【図１３】
0003929004.tif 000014
【図１４】
0003929004.tif 000015
【図１５】
0003929004.tif 000016
【図１６】
0003929004.tif 000017
【図１７】
0003929004.tif 000018
【図１８】
0003929004.tif 000019